(57)【特許請求の範囲】
【請求項１】
棒状体からなるハリス掛本体と、
先端にハリスのチチワを引っ掛ける複数のフックを有し、ハリス掛本体の長手方向に弾力的に伸縮する、前記ハリス掛本体の一端に設けられたハリス緊張手段と、
前記ハリス掛本体の他端に形成された、ハリスの釣針を引っ掛ける係止部と、
を有するハリス掛け。
【請求項２】
棒状体からなるハリス掛本体と、
先端にハリスのチチワを引っ掛ける複数のフックを有し、ハリス掛本体の長手方向に弾力的に伸縮する、前記ハリス掛本体の両端部にそれぞれ設けられたハリス緊張手段と、
前記ハリス掛本体上の前記ハリス緊張手段間に設けられた、ハリスの釣針を引っ掛ける中間針掛部と、
を有するハリス掛け。
【請求項３】
棒状体からなるハリス掛本体と、
先端にハリスのチチワを引っ掛ける複数のフックを有し、ハリス掛本体の長手方向に弾力的に伸縮する、前記ハリス掛本体の両端間に設けられたハリス緊張手段と、
前記ハリス掛本体の両端部に形成された、ハリスの釣針を引っ掛ける係止部と、
を有するハリス掛け。
【請求項４】
請求項１、２または３記載のハリス掛けにおいて、
前記ハリス緊張手段は、前記ハリス掛本体にその長手方向に摺動自在に設けられた、前記フックを有する複数の駒と、この駒を前記ハリス掛本体の一端側に弾力的に引っ張るスプリングと、
を有するハリス掛け。
【請求項５】
請求項１、２または３記載のハリス掛けにおいて、
前記ハリス緊張手段は、前記ハリス掛本体の一端部周面を囲む輪状のスプリングであるハリス掛け。
【請求項６】
請求項１、２、３または５記載のハリス掛けにおいて、
ハリス緊張手段は、先端にハリスのチチワを引っ掛けるフックを有し、後端をハリス掛本体の一端側に固定した、ハリス掛本体の長手方向に伸縮する互いに平行な複数のコイルスプリングであるハリス掛け。
【請求項７】
請求項１、３ないし６の何れか一つに記載のハリス掛けにおいて、
前記ハリス掛本体の、前記ハリス緊張手段と前記係止部との間に中間針掛部を有するハリス掛け。
【請求項８】
請求項７記載のハリス掛けにおいて、
前記中間針掛部が、前記ハリス掛本体の長手方向に移動自在であるハリス掛け。
【請求項９】
請求項８記載のハリス掛けにおいて、
前記中間針掛部が、前記ハリス掛本体に嵌合した弾性部材であるハリス掛け。
【請求項１０】
請求項１ないし９の何れか一つに記載のハリス掛けにおいて、
前記フックにチチワを引っ掛けたハリスを折り返す鉤部を前記ハリス掛本体の一部に有するハリス掛け。
【請求項１１】
釣針を係止可能な網体からなる棒状のハリス掛本体と、
ハリスのチチワを引っ掛ける複数のフックを有し、ハリス掛本体の長手方向に弾力的に伸縮する、前記ハリス掛本体の少なくとも一端または前記ハリス掛本体の両端間に設けられたハリス緊張手段と、
を有するハリス掛け。
【請求項１２】
請求項１ないし１１の何れか一つに記載のハリス掛けにおいて、
前記ハリス緊張手段は、これを構成する弾性部材の自然長からの伸張長さを制限するストッパーを有するハリス掛け。
【請求項１３】
棒状体からなるハリス掛本体と、
先端にハリスのチチワを引っ掛けるフックを形成した、前記ハリス掛本体の長手方向に伸縮する互いに平行な複数のコイルスプリングを有し、前記ハリス掛本体の一端に設けられたハリス緊張手段と、
前記コイルスプリングの自然長からの伸張長さを制限するストッパーと、
前記フックにチチワを引っ掛けたハリスの釣針を係止する、前記ハリス掛本体の他端に形成された係止部と、
前記ハリス掛本体の、前記ハリス緊張手段と前記係止部との間に設けられた中間針掛部と、
を有するハリス掛け。
【請求項１４】
請求項１ないし１３の何れか一つに記載のハリス掛けにおいて、
前記ハリス緊張手段が、前記ハリス掛本体に対して着脱自在であるハリス掛け。
【請求項１５】
請求項１ないし１４の何れか一つに記載のハリス掛本体に着脱自在なハリス緊張手段ユニット。
【発明の詳細な説明】
【技術分野】
【０００１】
本発明は、ハリス掛けに関する。
【背景技術】
【０００２】
ハリスを保持するハリス掛けとしては、ハリスの一部を挟み込んだり、引っ掛けたりして複数のハリスを緊張した状態で保持する平板からなるハリス掛けや、ハリスを巻き付けて保持する筒体状のハリス掛けが知られている。
【０００３】
【特許文献１】特開平０９−２７５８６９号公報
【特許文献２】特開平１０−２１５７４８号公報
【特許文献３】特開２００２−２０９４９０号公報
【特許文献４】特許第２９０８３６９号公報
【発明の開示】
【発明が解決しようとする課題】
【０００４】
平板状あるいは筒体状のハリス掛けの場合、ハリスをハリス掛けに取り付けたり、釣り場におけるハリス掛けからのハリスの取り外し操作が比較的面倒であったり、またハリス掛けから取り外したハリスに多くの折り癖や巻き癖がついてしまうという問題点がある。また、発砲スチロルなど樹脂製の使い捨て平板状ハリス掛けの場合、公害問題を生じる問題点もある。
【０００５】
本発明は、従来のハリス掛けの問題点を解決した棒状のハリス掛けを提供することを目的とする。
【課題を解決するための手段】
【０００６】
請求項１記載の発明は、棒状のハリス掛けであって、棒状体からなるハリス掛本体と、先端にハリスのチチワを引っ掛ける複数のフックを有し、ハリス掛本体の長手方向に弾力的に伸縮する、ハリス掛本体の一端に設けられたハリス緊張手段と、前記ハリス掛本体の他端に形成された、ハリスの釣針を引っ掛ける係止部と、を有することを特徴とする。
請求項２記載の発明は、棒状のハリス掛けであって、棒状体からなるハリス掛本体と、先端にハリスのチチワを引っ掛ける複数のフックを有し、ハリス掛本体の長手方向に弾力的に伸縮する、ハリス掛本体の両端部にそれぞれ設けられたハリス緊張手段と、ハリス掛本体上の前記ハリス緊張手段間に設けられた、釣針を引っ掛ける中間針掛部と、を有することを特徴とする。
請求項３記載の発明は、棒状のハリス掛けであって、棒状体からなるハリス掛本体と、先端にハリスのチチワを引っ掛ける複数のフックを有し、ハリス掛本体の長手方向に弾力的に伸縮する、ハリス掛本体の両端間に設けられたハリス緊張手段と、ハリス掛本体の両端部に形成された、ハリスの釣針を引っ掛ける係止部と、を有することを特徴とする。
請求項４記載の発明は、請求項１または２記載のハリス掛けにおいて、ハリス緊張手段が、ハリス掛本体にその長手方向に摺動自在に設けられた、前記フックを有する複数の駒と、この駒をハリス掛本体の一端側に弾力的に引っ張るスプリングと、を有することを特徴とする。
請求項５記載の発明は、請求項１、２または３記載のハリス掛けにおいて、ハリス緊張手段が、ハリス掛本体の一端部周面を囲む輪状のスプリングであることを特徴とする。
請求項６記載の発明は、請求項１、２、３または５記載のハリス掛けにおいて、ハリス緊張手段が、先端にハリスのチチワを引っ掛けるフックを有し、後端をハリス掛本体の一端側に固定した、ハリス掛本体の長手方向に伸縮する互いに平行な複数のコイルスプリングであることを特徴とする。
請求項７記載の発明は、請求項１、３ないし６の何れか一つに記載のハリス掛けにおいて、ハリス掛本体の、ハリス緊張手段と前記係止部との間に中間針掛部を有することを特徴とする。
請求項８記載の発明は、請求項７記載のハリス掛けにおいて、中間針掛部が、ハリス掛本体の長手方向に移動自在であることを特徴とする。
請求項９記載の発明は、請求項８記載のハリス掛けにおいて、中間針掛部が、ハリス掛本体に嵌合した弾性部材であることを特徴とする。
請求項１０記載の発明は、請求項１ないし９の何れか一つに記載のハリス掛けにおいて、前記フックに一端を引っ掛けたハリスを折り返す鉤部をハリス掛本体の一部に有することを特徴とする。
請求項１１記載の発明は、釣針を係止可能な網体からなる棒状のハリス掛本体と、ハリスのチチワを引っ掛ける複数のフックを有し、ハリス掛本体の長手方向に弾力的に伸縮する、ハリス掛本体の少なくとも一端またはハリス掛本体の両端間に設けられたハリス緊張手段と、を有することを特徴とする。
請求項１２記載の発明は、請求項１ないし１１の何れか一つに記載のハリス掛けにおいて、ハリス緊張手段が、これを構成する弾性部材の自然長からの伸張長さを制限するストッパーを有することを特徴とする。
請求項１３記載の発明は、棒状体からなるハリス掛本体と、先端にハリスのチチワを引っ掛けるフックを形成した、ハリス掛本体の長手方向に伸縮する互いに平行な複数のコイルスプリングを有し、ハリス掛本体の一端に設けられたハリス緊張手段と、前記コイルスプリングの自然長からの伸張長さを制限するストッパーと、前記フックにチチワを引っ掛けたハリスの釣針を係止する、ハリス掛本体の他端に形成された係止部と、ハリス掛本体の、ハリス緊張手段と前記係止部との間に設けられた中間針掛部と、を有することを特徴とする。
請求項１４記載の発明は、請求項１ないし１３の何れか一つに記載のハリス掛けにおいて、ハリス緊張手段が、ハリス掛本体に対して着脱自在であることを特徴とする。
請求項１５記載の発明は、請求項１ないし１４の何れか一つに記載のハリス掛本体に着脱自在なハリス緊張手段ユニットにある。
【発明の効果】
【０００７】
本発明によれば、最も使用頻度の高い通常の長さをもつハリスの一端をハリス掛本体に設けられたハリス緊張手段に引っ掛け、他端をハリス掛本体の一部に係止するだけの簡単な作業で、ハリスをハリス掛けに緊張状態で、しかも整然と並べて納めることができる。ハリスに強い折り癖や巻き癖が付いていると、微妙な魚信が釣竿に伝わらない事態を生じることもあるが、本発明によれば、ハリスが真っ直ぐに伸びた状態にあるので、魚信が敏感に釣竿に伝わる効果がある。また、棒状のハリス掛けであるから、携帯用の竿収納バッグに入れて釣竿と供に持ち運びが可能であり、釣り場におけるハリスの取り扱いも容易である。
【発明を実施するための最良の形態】
【０００８】
図１は、棒状体からなる本発明のハリス掛けの一例を示す。同図において、ハリス掛け１０は、樹脂製パイプからなるハリス掛本体１１と、このハリス掛本体１１の一端に設けられたハリス緊張手段１２と、ハリス掛本体１１の他端に設けられた係止部１３と、ハリス緊張手段１２と係止部１３との間に設けられた中間針掛部１４を有する。
ハリス掛け１０の寸法は、携帯用の竿収納バッグの長さが通常１２００ｍｍ〜１３００ｍｍであることを考慮して、直径略１５〜２５ｍｍ、長さ５０から１０００ｍｍ程度である。
【０００９】
図２、３において、ハリス緊張手段１２は、ハリス掛本体１１の長手方向に伸縮する互いに平行な複数のコイルスプリング１６で構成される。コイルスプリング１６は、その先端にハリス１５のチチワ１５ａを引っ掛けるフック１６ａ有し、後端１６ｂ（図３）はハリス掛本体１１の一端に切り込んだスリット１１ａに係合させることによりハリス掛本体１１に固定されている。コイルスプリング１６は、ハリス掛本体１１の周面に６本から１２本が配置される。
【００１０】
コイルスプリング１６は、その後端部分がカップ状のスプリングカバー１７で覆われる。スプリングカバー１７には、複数のコイルスプリング１６を互いに平行させて、その先端部分を外部に整列状態で露呈させるための部分円形の切り欠き１７ａが形成されている。スプリングカバー１７は、ハリス掛本体１１の端部に接着剤やねじ等の固定手段により固定される。
【００１１】
図２において、筒状の係止部１３は、ハリス掛本体１１の端部に嵌合され、その内端面には、ハリスの釣針あるいはチチワを引っ掛ける、コイルスプリング１６と同数の鉤１８が設けられている。係止部１３は、これをハリス掛本体１１に弾力的に嵌合させて、ハリス掛本体に対して摺動自在にすることができる。
【００１２】
ハリス緊張手段１２と係止部１３との間に設けられた中間針掛部１４は、ゴムなどの弾性部材で輪状に作られていて、図４に示すように、ハリス掛本体１１に弾力的に嵌合しており、ハリス掛本体１１に対して摺動自在である。長さの異なる多種のハリスに対応できるように、複数の中間針掛部１４をハリス掛本体１１に設けることもできる。
【００１３】
図２において、ハリス１５は、そのチチワ１５ａをコイルスプリング１６のフック１６ａに引っ掛けたのち、ハリスが特別長い場合は、係止部１３の鉤１８に引っ掛けて折り返して、釣針１９を、図４に示すように、中間針掛部１４の右縁に引っ掛ける。
比較的短いハリスの場合は、チチワをコイルスプリング１６に引っ掛けたハリスの釣針１９を、図４に示すように、中間針掛部１４の左縁に引っ掛ける。
長さが１０００ｍｍ弱のハリスの場合は、チチワをコイルスプリング１６に引っ掛けたハリスの釣針１９を、図２に示すように、係止部１３の外端または鉤１８に引っ掛ける。
チチワを、常にコイルスプリング１６に引っ掛けて、そのハリスをハリス掛けに保持させる使用方法をとる場合であって、鉤１８で折り返す必要のない長さのハリスを用いるハリス掛けの場合は、鉤１８は不要である。
コイルスプリング１６のフック１６ａにチチワを引っ掛ける代わりに、釣針を引っ掛け、チチワの方を係止部１３の鉤１８に引っ掛けることも勿論可能である。
【００１４】
図４に示す中間針掛部１４の材質を、釣針を刺すことができる材質、たとえばスポンジゴムやウレタン樹脂に代えれば、図５に示すように、中間針掛部１１４の周面の任意の位置に釣針を刺すことができ、長さの種々異なるハリスの幅広い保持が可能になる。中間針掛部１１４の長さは、ハリス掛本体１１の長さに応じて自由に定めることができ、また、複数の中間針掛部１１４をハリス掛本体１１に設けることもできる。
【００１５】
図２において、ハリス掛本体１１のハリス緊張手段１２の近傍には、コイルスプリング１６がハリスで引っ張られて、その降伏点を超えて永久歪みを生じるのを防止するために、その自然長からの伸張長さの限界を示す赤色の輪２０が印されている。
【００１６】
図６は、ハリス緊張手段を構成するスプリングを保護するために、スプリングの伸張長さを制限するストッパーをスプリングカバーに形成したハリス緊張手段を示す。
図６、７において、後端をハリス掛本体１１の端に固定（図３参照）したスプリング１１６は、先端にフック１１６ａを形成した直線状の腕部１１６ｂを有し、一方、スプリングカバー１１７は、スプリング１１６の先端直線部分を除いてスプリング１１６をすっぽり覆っており、その前端壁１１７ｂには、スプリング１１６の腕部１１６ｂを外部に引き出すための切込み１１７ａが形成されている。
図７において、ハリス１５によってスプリング１１６が引っ張られると、その腕部１１６ｂの基部のコイル部分が前端壁１１７ｂの内側面に当接して、スプリング１１６の伸びが制限される。すなわち、スプリングカバー１１７の前端壁１１７ｂが弾性部材の自然長からの伸張長さを制限するストッパーになっていて、このストッパーにより弾性部材がその降伏点を超えて引っ張られるのを防止する。
【００１７】
図８はスプリングが外部に露呈することなく、かつスプリングの伸張長さを制限するストッパーを構成するハリス緊張手段の一例を示す。
ハリス掛本体１１の端部には、互いに平行な複数の案内切込み２１がハリス掛本体１１の長手方向に形成されていて、これらの案内切込み２１に駒２２が支持される。駒２２は、その両側面に設けられた溝２２ａを、案内切込み２１の対向縁に緩く嵌め込むことにより、案内切込み２１に摺動自在に支持される。
駒２２には、これをハリス掛本体１１の半径方向に貫くピン２３が設けられている。ピン２３の外端頭部は球状になっていて、ハリスのチチワを引っ掛けるフックを構成し、ピン２３の内端には、スプリング２１６の一端が掛けられている。スプリング２１６の他端は、ハリス掛本体１１の端面に設けられる端版２５の半径方向のスリット２６に係止される。
図９において、駒２２がピン２３に引っ掛けられたハリス１５により左方に引っ張られると、駒２２の端面２２ｂが案内切込み２１の底縁２１ａに衝突することにより、スプリング２１６の伸びが制限される。
【００１８】
図１０は、ハリス緊張手段を構成するコイルスプリングの代わりに、一本の輪状弾性部材を採用したハリス緊張手段を示す。
符号２７は、ハリス掛本体１１の端部に着脱可能に設けられるスプリング支持体を示す。このスプリング支持体２７の外周面には、放射状に複数のリブ２７ａが形成されており、これらリブ２７ａに輪状スプリング３１６がスプリング支持体２７を囲むように設けられている。輪状スプリング３１６の、各リブ２７ａ間には、ハリス１５を引っ掛けるフック２８の基端が設けられている。スプリング支持体２７は筒状のカバー（図示されず）で覆われる。
輪状弾性部材としては、巻き径が比較的細いコイルスプリングを輪にした輪状スプリングあるいは輪ゴムが用いられる。
【００１９】
図２に示すハリス掛本体１１を、図１１に示すように、釣針を係止可能な網部材からなる棒状のハリス掛本体１１１に代えることができる。ハリス掛本体に網部材を使用した場合、ハリス掛本体の任意の位置に針を係止できるので、中間針掛部１４、１１４（図５）は不要である。なお、ハリス掛本体の長さを超えないハリスを対象とする場合は、ハリスを折り返すための係止部１３も設ける必要はない。ハリス掛本体の両端にハリス緊張手段を取り付けることも可能である。
【００２０】
図１２は、ハリス掛本体を長手方向に２分割したハリス掛けを示す。ハリス掛本体の、ハリス緊張手段を取り付ける一方の半体２１１ａは、樹脂製の棒状体であり、他方の半体２１１ｂは、釣針を係止可能な網部材からなる棒状体である。網部材からなる棒状体を、釣針を係止可能な樹脂製の棒状体に代えることも勿論可能である。
【００２１】
図１３は、パイプなどの丸棒状のハリス掛本体に代えて、板部材からなる棒状のハリス掛本体３１１を用いたハリス掛けを示す。板部材のサイズは、幅２５〜５０ｍｍ、長さ４０〜１０００ｍｍ、厚さ６〜１２ｍｍ程度である。
【００２２】
本発明におけるハリス掛本体の長さと、太さは携帯に便利なサイズに自由に定めることができ、また、ハリス掛本体の断面形状も、円形、板状に限定されることなく、６角形等多角形の棒状体を用いることができる。また、ハリス緊張手段は、ハリス掛本体の両端に設けることができる。両端に設けることにより、ハリス掛けに保持するハリスの本数を増やすことができる。
【００２３】
ハリス緊張手段をユニット化することにより、材質や長さの種々異なるハリスに対応可能な利便性に富んだハリス掛けを得ることができる。
図１４は、図６に示すハリス緊張手段をユニット化したものであって、このハリス緊張手段ユニットは、ハリス掛本体１１に対して摩擦結合する着脱自在の連結部３０を有し、網パイプや、釣針を係止可能な樹脂製の棒状体等の材質の異なるハリス掛本体、あるいはハリスの長さに応じて３０ｍｍ〜１０００ｍｍの種々のハリス掛本体に選択的に使用することができる。ハリス緊張手段ユニットは、ハリス掛本体の両端に対して着脱可能にすると便利である。
ユニット化するハリス緊張手段は、図６に示すものに限られるものではなく、図２、図１０にそれぞれ示すハリス緊張手段、その他考えられるハリス緊張手段をユニット化することができる。また、ハリス緊張手段ユニットのハリス掛本体１１に対する結合手段も摩擦結合の他にバヨネット結合、ねじ結合など適当な手段を採用することができる。
【００２４】
図１５は、ハリス緊張手段の好適な変形例を示す。ハリスを掛けるフック４１６ａをもつコイルスプリング４１６は、両端にフランジ４０ａを有する筒状のスプリング支持体４０に、その後端を後部フランジ４０ａのスリット４１に係止し、その先端直線部分を前端フランジ４０ａのスリット４１に緩く挿し通すことにより支持されている。スプリング支持体４０は、カップ状のスプリングカバー２１７で覆われている。スリット４１はフランジ４０ａの半径方向あるいは半径方向に対して傾斜した向きにコイルスプリングの数に応じて形成される。
【００２５】
このハリス緊張手段は、そのスプリング支持体４０を適宜のハリス掛本体１１に摩擦的に嵌合することによりユニットとして着脱自在にすることができる。網体など種々のハリス掛本体に対するハリス緊張手段の着脱を容易かつ確実にするために、スプリング支持体４０の内周面に、ハリス掛本体の端部外周面に嵌合する弾性層を設けるとよい。
【００２６】
図１６は、その両端にフックを有するハリス緊張手段１１２を、全長１０００ｍｍ程度のハリス掛本体１１の両端間に配置し、ハリスのチチワを引っ掛ける係止部１３をハリス掛本体１１の両端に、中間針掛部１４をハリス緊張手段と各係止部１３との間にそれぞれ設けたハリス掛けを示す。
ハリス緊張手段１１２は、図１７に示すように、両端と中央部にスリット付きのフランジ５０ａを形成した筒状のスプリング支持体５０と、各フランジ間に収められた複数のコイルスプリング５１６と、スプリング支持体５０を覆う筒状のカバー３１７とによって構成されており、ハリス掛本体１１にスポンジゴムなどの弾性部材５１を介して摺動自在に設けられる。このハリス緊張手段は、ハリス掛本体１１の両端間に複数配置することもできる。
【００２７】
各コイルスプリング５１６は、その両端の直線部の各先端にチチワを引っ掛けるためのフック５１６ａを、その中央に比較的短い直線部５１６ｂをそれぞれ有し、両端の直線部を両端フランジ５０ａのスリット５２に、そして中央直線部５１６ｂを中央フランジ５０ａのスリット５２にそれぞれ緩く挿し通すことにより、スプリング支持体５０に収納支持される。
スプリング支持体５０は、図１５に示したそれの後端同士を結合した形態と実質同一であり、また、このハリス掛けに対するハリスの取り付け方は、図１に示したハリス掛けのそれと同様である。
【００２８】
この両端にフックを有するハリス緊張手段１１２を、図１１に示す網部材からなるハリス掛本体に取り付けた場合は、ハリス掛本体の任意の位置に針を係止できるので中間針掛部１４は不要であり、また、比較的短いハリスを対象にする場合は、係止部１３も設ける必要はない。
【００２９】
図１９は、直径３２ｍｍ、長さ７０ｍｍ、スプリングの数６本のハリス緊張手段２１２を直径１５ｍｍのハリス掛本体１１の両端に、ウレタン樹脂からなる直径３０ｍｍ、長さ４００ｍｍの中間針掛部２１４をハリス緊張手段間にそれぞれ配置した長さ１０００ｍｍのハリス掛けを示す。ハリス緊張手段２１２は図１５に示すそれと同等の構成からなる。ハリス掛け及び中間針掛部２１４の長さは自由に定めることができること勿論である。ハリス緊張手段２１２も図１５に示す構成に限定されるものではない。
【００３０】
図２０は、ハリス緊張手段を構成するスプリングの変形例を示す。圧縮コイルスプリング６１６は、その一端を折り曲げて圧縮コイルスプリングの中を通し、先端にフック６１６ａを有する。
圧縮コイルスプリング６１６は、図２０に示すように、スリット５４１を形成したフランジを一端に有するスプリング支持体５４０に支持される。スプリング支持体５４０は、並列される複数の圧縮コイルスプリング６１６を整然と収納するために、各圧縮コイルスプリング６１６の収納室を仕切るリブがその周面に形成されている。
【００３１】
ハリス緊張手段を構成するコイルスプリングを形成する弾性針金が細い場合、ハリスのチチワを引っ掛けるフックの先端が指に刺さる惧れがある。図２１、２２はその危険性を防止したコイルスプリングの例をそれぞれ示す。
図２１は、指に刺さる惧れのない比較的太い、先端にフック６１７ａを有する針金６１７をコイルスプリング７１６の一端に連結した例を示す。
図２２は、図２１の針金６１７の代わりに先端にフック７１７ａを有する短冊板７１７をコイルスプリング７１６の一端に設けた例を示す。
これらのコイルスプリングのよれば、フックの先端が指に刺さる危険性が回避されるばかりでなく、フックに対するチチワを引っ掛け操作も易しくなる。
【００３２】
ハリス掛けの長さを適宜変えることができれば便利である。
図２３は、軸方向の複数のスリット６０を有する雄ねじ６１を一端に形成したパイプからなる外筒ハリス掛本体３１１ａと、このハリス掛本体３１１ａに差し通す内筒ハリス掛本体３１１ｂと、内周面にテーパー雌ねじを有する締め付けナット６３からなるハリス掛本体を示す。
図２４は外筒ハリス掛本体３１１ａと、内筒ハリス掛本体３１１ｂとを締め付けナット６０で連結固定した状態を示す。両ハリス掛本体３１１ａ、３１１ｂの各一端にはハリス緊張手段がそれぞれ設けられ、ハリス掛本体３１１ａには中間針掛部が設けられる。
内筒ハリス掛本体３１１ｂのハリス掛本体３１１ａに差し込む長さにより、ハリス掛けの長さを適宜調整することができる。
【図面の簡単な説明】
【００３３】
【図１】本発明の一実施例を示すハリス掛けの斜視図図である。
【図２】ハリスの掛け方を示すハリス掛けの拡大斜視図である。
【図３】ハリス緊張手段を示す部分断面図である。
【図４】ハリス掛本体に設けられる中間針掛部を示す部分断面図である。
【図５】中間針掛部の変形例を示す側面図である。
【図６】ハリス緊張手段手段の変形例を示す斜視図である。
【図７】図６の部分断面図である。
【図８】ハリス緊張手段手段の別の変形例を示す斜視図である。
【図９】図８の部分断面図である。
【図１０】ハリス緊張手段の更に別の変形例を示す斜視図である。
【図１１】本発明の別の実施例を示すハリス掛けの斜視図である。
【図１２】本発明の更に別の実施例を示すハリス掛けの側面図である。
【図１３】本発明の更に別の実施例を示すハリス掛けの斜視図である。
【図１４】ハリス緊張手段ユニットを示す側面図である。
【図１５】ハリス緊張手段の更に別の変形例を示す断面図である。
【図１６】本発明の更に別の実施例を示すハリス掛けの斜視図である。
【図１７】図１６に示すハリス掛けのハリス緊張手段の断面図である。
【図１８】図１７に示すハリス緊張手段のスプリング支持体の部分斜視図である。
【図１９】本発明の更に別の実施例を示すハリス掛けの側面図である。
【図２０】スプリングの変形例を示す圧縮コイルスプリングの側面図である。
【図２１】スプリングに設けられたフックの例を示す側面図である。
【図２２】スプリングに設けられたフックの別の例を示す側面図である。
【図２３】ハリス掛本体の変形例を示す分解斜視図である。
【図２４】図２３のハリス掛本体を連結した状態を示す部分断面図である。
【符号の説明】
【００３４】
１０    ハリス掛け
１１、１１１、２１１ａ、２１１ｂ、３１１、３１１ａ、３１１ｂ  ハリス掛本体
１２、１１２、２１２  ハリス緊張手段
１３    係止部
１４、１１４、２１４  中間針掛部
１５    ハリス
１５ａ  チチワ
１６、１１６、２１６、４１６、５１６、６１６、７１６  スプリング
１６ａ、２８、１１６ａ、２１６ａ、４１６ａ、５１６ａ、６１６ａ、７１７ａ、フック
１８    鉤
１９    釣針
２２    駒
４０、５０、５４０  スプリング支持体
【要約】
【課題】ハリスをハリス掛けに取り付けたり、釣り場におけるハリス掛けからのハリス取り外し操作が比較的面倒であったり、またハリス掛けから取り外したハリスに多くの折り癖や巻き癖がついてしまうという平板状あるいは筒体状のハリス掛けの問題点を解決するハリス掛けを提供する。
【解決手段】棒状体からなるハリス掛けのハリス掛本体１１に、ハリス１５の一端を引っ掛ける複数のフック１６ａを有するハリス緊張手段１２を設け、ハリス掛本体１１の両端間に、ハリスの釣針１９を引っ掛ける中間針掛部１４を設けることにより、ハリスをハリス掛けに緊張状態で保持させる。
【選択図】図２
【図１】
0003643115.tif 000002
【図２】
0003643115.tif 000003
【図３】
0003643115.tif 000004
【図４】
0003643115.tif 000005
【図５】
0003643115.tif 000006
【図６】
0003643115.tif 000007
【図７】
0003643115.tif 000008
【図８】
0003643115.tif 000009
【図９】
0003643115.tif 000010
【図１０】
0003643115.tif 000011
【図１１】
0003643115.tif 000012
【図１２】
0003643115.tif 000013
【図１３】
0003643115.tif 000014
【図１４】
0003643115.tif 000015
【図１５】
0003643115.tif 000016
【図１６】
0003643115.tif 000017
【図１７】
0003643115.tif 000018
【図１８】
0003643115.tif 000019
【図１９】
0003643115.tif 000020
【図２０】
0003643115.tif 000021
【図２１】
0003643115.tif 000022
【図２２】
0003643115.tif 000023
【図２３】
0003643115.tif 000024
【図２４】
0003643115.tif 000025